(57)【要約】【課題】各ユーザ自身でスマートメータＩＤと住所情報をアドレスＩＤ変換システムへ提供し、アドレスＩＤ変換システムからスマートメータＩＤと住所情報の検索を可能とする仕組みの情報転送技術を提供すること。【解決手段】スマートメータシステムや配信センタとの間で相互無線チャネルにて情報の送受を可能とするアドレスＩＤ変換システムを含む無線ネットワークシステムにおいて、各ユーザのＯＡ装置からスマートメータシステムを介してスマートメータＩＤと住所情報をアドレスＩＤ変換システムへ登録し、各ユーザのＯＡ装置からアドレスＩＤ変換システムに登録したスマートメータＩＤと住所情報の検索を可能とする仕組みの情報転送する手段を設ける。【選択図】図１
2018129744.tif 000002
【特許請求の範囲】
【請求項１】
第１ユーザ建屋内において消費する電力消費量を収集し、当該電力消費量を検針する第１スマートメータ装置を含む第１スマートメータシステムと、
第２ユーザ建屋内において消費する電力消費量を収集し、当該電力消費量を検針する第２スマートメータ装置を含む第２スマートメータシステムと、
前記第１スマートメータシステムにおける第１スマートメータ装置と前記第２スマートメータシステムにおける第２スマートメータ装置間、及び前記第２スマートメータシステムにおける第２スマートメータ装置と各ユーザのスマートメータＩＤと住所を含む住所データベースをもつ配電事業者システムの信号の送受信チャネルをＡルート無線チャネルとし、
前記第１スマートメータシステムにおける第１スマートメータ装置及び前記第２スマートメータシステムにおける第２スマートメータ装置とスマートメータ通信装置、アドレスＩＤデータベースを含むアドレスＩＤ変換システム間の信号の送受信チャネルを相互通信無線チャネルとし、
前記第１スマートメータシステム及び前記第２スマートメータシステムの通信ネットワークをマルチホップネットワークとする
無線ネットワークシステムであって、
前記アドレスＩＤ変換システムのスマートメータ通信装置は、
前記第１ＯＡ装置からの登録ユーザ信号を元に前記第１スマートメータシステムから前記第２スマートメータシステムへ送信されるデータＩＤとデータに住所を含む登録信号を受信したとき、
スマートメータＩＤと住所を含むＩＤ住所信号を前記アドレスＩＤ変換システムにおけるアドレスＩＤデータベースに送出し、
前記第２スマートメータシステムにおける第２スマートメータ装置から前記第１ＯＡ装置から送信される検索ユーザ信号に対応し、データＩＤを含む検索信号を受信したとき、
当該検索信号を前記アドレスＩＤデータベースに送出し、
前記アドレスＩＤ変換システムにおけるアドレスＩＤデータベースから、データを含む検索応答信号を受信したとき、
当該検索応答信号を、前記第２スマートメータシステムを介して、前記第１スマートメータシステムに送信し、
前記アドレスＩＤデータベースは、
前記第１、第２スマートメータシステムから前記ＩＤ住所信号を受けたとき、当該ＩＤ住所信号に含まれるスマートメータＩＤと住所を保存し、
前記検索応答信号は、前記第２スマートメータシステムにおける第２スマートメータ装置から前記第１スマートメータシステムにおける第１スマートメータ装置に転送され、当該第１スマートメータ装置より、ゲートウェイ装置を介して、データを含む検索応答ユーザ信号として前記第１ＯＡ装置に送信される、
ことを特徴とするアドレスＩＤ変換システム。
【請求項２】
請求項１項に記載されたアドレスＩＤ変換システムにおいて、
前記第１、第２スマートメータシステムは、
前記第１、第２ユーザ建屋における前記第１、第２ＯＡ装置を含む機器が消費する電力消費量を収集する第１、第２電力消費量収集装置、を含み、
前記第１、第２電力消費量収集装置は、ゲートウェイ装置又はＨＥＭＳ装置であり、
前記検索ユーザ信号及び前記検索信号は、住所又はＩＤ検索であり、
前記検索応答信号及び前記検索応答ユーザ信号におけるデータは、住所又はＩＤであることを特徴とするアドレスＩＤ変換システム。
【請求項３】
各ユーザのスマートメータＩＤと住所を含む住所データベースをもつ配電事業者システムとも無線マルチホップのＡルート無線チャネルで接続し、
ＨＥＭＳ装置ともＢルート無線チャネルで接続する、複数のユーザ建屋にそれぞれ配置され、相互通信無線チャネルで通信するスマートメータ装置と、
各ユーザ建屋で該スマートメータ装置に接続され、ユーザ建屋内通信で各種ＯＡ装置と接続するゲートウェイ装置からなる、通信システムに接続する、スマートメータ通信装置と，アドレスＩＤデータベースからなる、アドレスＩＤ変換システムにおいて、
上記スマートメータ通信装置は、
相互通信チャネルと、宛先ＩＤにＡＩＴが設定され、発元ＩＤとＴＴＬとサービスＩＤに登録が設定され、データＩＤとデータに住所を含む登録信号を通信システムから受けた場合に、発元ＩＤと住所を含むＩＤ住所信号をアドレスＩＤデータベースに送出し、
相互通信チャネルと、宛先ＩＤにＡＩＴが設定され、発元ＩＤとＴＴＬとサービスＩＤに住所検索かＩＤ検索が設定され、データＩＤを含む検索信号を通信システムから受けた場合に、検索信号をアドレスＩＤデータベースに送出し、
宛先ＩＤと発元ＩＤにＡＩＴが設定され、サービスＩＤに住所検索かＩＤ検索が設定され、データＩＤとデータに住所かＩＤが設定された検索応答ユーザ信号をアドレスＩＤデータベースから受けた場合には、相互通信チャネルと、宛先ＩＤと発元ＩＤにＡＩＴが設定され、発元ＩＤとＴＴＬとサービスＩＤに住所検索かＩＤ検索が設定され、データＩＤとデータに住所かＩＤを含む検索応答信号を通信システムへ送出し、
前記アドレスＩＤデータベースは、
スマートメータ通信装置からＩＤ住所信号を受けた場合には、スマートメータＩＤと住所を保存し、
前記スマートメータ通信装置から検索信号を受けた場合には、検索応答信号を前記スマートメータ通信装置へ送出する
ことを特徴とするアドレスＩＤ変換システム。
【請求項４】
第１ユーザ建屋内において消費する電力消費量を収集し、当該電力消費量を検針する第１スマートメータ装置を含む第１スマートメータシステムと、
第２ユーザ建屋内において消費する電力消費量を収集し、当該電力消費量を検針する第２スマートメータ装置を含む第２スマートメータシステムと、
前記第１スマートメータシステムにおける第１スマートメータ装置と前記第２スマートメータシステムにおける第２スマートメータ装置間、及び前記第２スマートメータシステムにおける第２スマートメータ装置と各ユーザのスマートメータＩＤと住所を含む住所データベースをもつ配電事業者システムの信号の送受信チャネルをＡルート無線チャネルとし、
前記第１スマートメータシステムにおける第１スマートメータ装置及び前記第２スマートメータシステムにおける第２スマートメータ装置とスマートメータ通信装置、アドレスＩＤデータベースを含むアドレスＩＤ変換システム間の信号の送受信チャネルを相互通信無線チャネルとし、
前記第１スマートメータシステム及び前記第２スマートメータシステムの通信ネットワークをマルチホップネットワークとする
無線ネットワークシステムにおけるアドレスＩＤ変換方法であって、
前記第１ＯＡ装置からの登録ユーザ信号を元に前記第１スマートメータシステムから前記第２スマートメータシステムへ送信されるデータＩＤとデータに住所を含む登録信号を受信したとき、
発元ＩＤと住所を含むＩＤ住所信号を前記アドレスＩＤ変換システムにおけるアドレスＩＤデータベースに送出し、
前記第２スマートメータシステムにおける第２スマートメータ装置から前記第１ＯＡ装置から送信される検索ユーザ信号に対応し、データＩＤを含む検索信号を受信したとき、当該検索信号を前記アドレスＩＤデータベースに送出し、
前記アドレスＩＤ変換システムにおけるアドレスＩＤデータベースから、データを含む検索応答信号を受信したとき、当該検索応答信号を、前記第２スマートメータシステムを介して、前記第１スマートメータシステムに送信し、
前記アドレスＩＤデータベースは、
前記第１、第２スマートメータシステムから前記ＩＤ住所信号を受けたとき、、当該ＩＤ住所信号に含まれるスマートメータＩＤと住所を保存し、
前記検索応答信号は、前記第２スマートメータシステムにおける第２スマートメータ装置から前記第１スマートメータシステムにおける第１スマートメータ装置に転送され、当該第１スマートメータ装置より、ゲートウェイ装置を介して、データを含む検索応答ユーザ信号として前記第１ＯＡ装置に送信される、
ことを特徴とするアドレスＩＤ変換方法。
【請求項５】
請求項４項に記載されたアドレスＩＤ変換方法において、
前記検索ユーザ信号及び前記検索信号は、住所又はＩＤ検索であり、
前記検索応答信号及び前記検索応答ユーザ信号におけるデータは、住所又はＩＤであることを特徴とするアドレスＩＤ変換方法。
【発明の詳細な説明】
【技術分野】
【０００１】
本発明は、アドレスＩＤ変換システム及びアドレスＩＤ変換方法に関する。
更に詳しくは、例えば、電力会社から供給される電力を消費するＯＡ（Office Automation）装置などの機器の電力使用量／電力消費量（電力使用データ）を無線ネットワーク、つまり、下流のスマートメータ装置から上流のスマートメータ装置へ無線マルチホップ通信ネットワークの通信路（複数のルート無線チャネル）を構築し、各ＯＡ装置などの機器の電力使用データを電力会社の配電事業者システムへ送信する機能を有するスマートメータシステム及びアドレスＩＤ変換システムを含み、無線通信機能を有するスマートメータ装置間を無線チャネルで接続し、スマートメータ装置とアドレスＩＤ変換システム間を相互通信無線チャネルで相互通信し、ＩＤ住所信号（含スマートメータＩＤ、住所）のアドレスＩＤ変換システムへの登録機能、及びアドレスＩＤ変換システムへの検索機能を可能とするアドレスＩＤ変換システム及びアドレスＩＤ変換方法に関する。
【背景技術】
【０００２】
スマートメータＩＤや住所情報を扱うシステムとして、特開２０１４−１７６１１７号公報（特許文献１）、特開２０１５−１９１３４９号公報（特許文献２）に記載の技術がある。
【０００３】
この特許文献１には、「低圧電力を発電する発電設備３と、発電設備３によって発電された低圧電力を配電設備４に供給する引込線９と、引込線９に配置されたスマートメータ５と、通信手段を介してスマートメータ５や各営業所６，７が接続される復旧支援システム１において、発電設備３やスマートメータ５の住所情報が収納される住所データベース１３と、スマートメータ５からの電力供給情報に基づき引込線９の事故（ヒューズ切れ）であるか否かを判定し、引込線９の事故であると判定された場合に、住所データベース１３から該当する発電設備３若しくはスマートメータ５の住所情報を検索し、該当引込線９の担当営業所７に検索された住所情報を送信して修理を依頼する。」との記載がある（要約書参照）。
換言すれば、特許文献１には、スマートメータと電力会社のシステム（復旧支援システム）とを通信ネットワークを介して接続した通信システムにおいて、例えば、スマートメータに接続された配電設備との間の引き込み線にヒューズ等の故障が発生した場合、その旨をスマートメータから電力会社のシステム（復旧支援システム）に対して通知し、電力会社のシステム（復旧支援システム）における電力会社の住所データベースのスマートメータＩＤを利用して住所を検索し、当該住所（住所情報）を、通信ネットワークを介して修理担当の営業所に送信し、派遣先を指定する復旧支援システムが開示されている。
【０００４】
また、特許文献２には、「サービス事業者のデバイス管理サーバ１は、公開鍵を送信する。ユーザ建屋のＯＡ機器１３は、その公開鍵を受信し、ＯＡ機器１３のデバイスＩＤをその公開鍵で暗号化し、暗号化されたデバイスＩＤ及び公開鍵をスマートメータ１１へ送信する。配電事業者では、電力情報収集装置２１は、スマートメータ１１から、暗号化されたデバイスＩＤ及び公開鍵を取得し、顧客管理サーバ２３は、そのスマートメータ１１の住所情報を特定し、特定した住所情報をその公開鍵で暗号化し、暗号化されたデバイスＩＤ及び暗号化された住所情報を送信する。デバイス管理サーバ４１は、暗号化されたデバイスＩＤ及び暗号化された住所情報を受信し、公開鍵に対応する秘密鍵で復号する。」との記載がある（要約書参照）。  換言すれば、特許文献２には、デバイス管理サーバを含むサービス事業者、スマートメータ、ＯＡ機器、を含む建屋電力情報変換装置、顧客管理サーバ、通信サーバを含む配電事業者、を備えたデバイス管理システムにおいて、ユーザのＯＡ機器が接続しているスマートメータからＩＤを配電事業者に送信し、配電会社の顧客情報管理サーバから、そのスマートメータの住所情報とＩＤをサービス事業者のデバイス管理サーバに送信し、デバイス管理サーバにてＩＤと住所情報を管理するデバイス管理システムが開示されている。
【先行技術文献】
【特許文献】
【０００５】
【特許文献１】特開２０１４−１７６１１７号公報
【特許文献２】特開２０１５−１９１３４９号公報
【発明の概要】
【発明が解決しようとする課題】
【０００６】
特許文献１に記載された発明は、電力会社内で住所データベースを利用する際のものであり、この特許文献１では、第三者がスマートメータＩＤからそのＩＤを持つユーザの住所を検索する、または住所からスマートメータＩＤの検索を実現する場合が想定されていない。そのため、「引込線のヒューズ切れ等の故障を検出して修理人員を速やかに派遣すると共に、引込線の故障状態を自動把握して管理者に速やかに伝達することが可能な復旧支援システムを提供する」ことができる、という効果に留まる。
【０００７】
また、特許文献２に記載された発明は、ＩＤと住所情報を転送する際に、暗号化して情報を勝手にみられないようにするものであり、この特許文献２では、ＩＤと住所情報を転送する仕組み、検索要求と応答を転送する仕組みを実現する場合が想定されていない。そのため、「管理対象のデバイスの現在位置を正確かつ確実に特定する」ことができる、という効果に留まる。
【０００８】
要するに、従来として、電力供給や、その管理を行う電力会社の電力網に接続している各家庭やビルなどに設置された各ユーザ（需要者＝消費者）が利用可能なスマートメータシステムの無線マルチホップを利用して、各ユーザ自身でスマートメータＩＤと住所情報（住所）をネットワークシステム側へ提供し、アドレスＩＤ変換システムに登録すること、各ユーザ自身がネットワークシステム側のアドレスＩＤ変換システムに登録したスマートメータＩＤと住所情報の検索を可能とすること、などの仕組みの情報転送方法がなかった。
【０００９】
そこで、本発明では、各ユーザ自身でスマートメータＩＤと住所情報をネットワークシステム側へ提供し、アドレスＩＤ変換システムへの登録を可能とすること、各ユーザ自身がネットワークシステム側のアドレスＩＤ変換システムに登録したスマートメータＩＤと住所情報の検索を可能とすること、などの仕組みの情報転送技術を提供することを目的とする。
【課題を解決するための手段】
【００１０】
上記課題を解決するために、代表的な本発明のアドレスＩＤ変換システム及び方法の一つは、
第１ユーザ建屋内において消費する電力消費量を収集し、当該電力消費量を検針する第１スマートメータ装置を含む第１スマートメータシステムと、
第２ユーザ建屋内において消費する電力消費量を収集し、当該電力消費量を検針する第２スマートメータ装置を含む第２スマートメータシステムと、
前記第１スマートメータシステムにおける第１スマートメータ装置と前記第２スマートメータシステムにおける第２スマートメータ装置間、及び前記第２スマートメータシステムにおける第２スマートメータ装置と各ユーザのスマートメータＩＤと住所を含む住所データベースをもつ配電事業者システムの信号の送受信チャネルをＡルート無線チャネルとし、
前記第１スマートメータシステムにおける第１スマートメータ装置及び前記第２スマートメータシステムにおける第２スマートメータ装置とスマートメータ通信装置、アドレスＩＤデータベースを含むアドレスＩＤ変換システム間の信号の送受信チャネルを相互通信無線チャネルとし、
前記第１スマートメータシステム及び前記第２スマートメータシステムの通信ネットワークをマルチホップネットワークとする
無線ネットワークシステムであって、
前記アドレスＩＤ変換システムのスマートメータ通信装置は、
前記第１ＯＡ装置からの登録ユーザ信号を元に前記第１スマートメータシステムから前記第２スマートメータシステムへ送信されるデータＩＤとデータに住所を含む登録信号を受信したとき、
スマートメータＩＤと住所を含むＩＤ住所信号を前記アドレスＩＤ変換システムにおけるアドレスＩＤデータベースに送出し、
前記第２スマートメータシステムにおける第２スマートメータ装置から前記第１ＯＡ装置から送信される検索ユーザ信号に対応し、データＩＤを含む検索信号を受信したとき、
当該検索信号を前記アドレスＩＤデータベースに送出し、
前記アドレスＩＤ変換システムにおけるアドレスＩＤデータベースから、データを含む検索応答信号を受信したとき、
当該検索応答信号を、前記第２スマートメータシステムを介して、前記第１スマートメータシステムに送信し、
前記アドレスＩＤデータベースは、
前記第１、第２スマートメータシステムから前記ＩＤ住所信号を受けたとき、当該ＩＤ住所信号に含まれるスマートメータＩＤと住所を保存し、
前記検索応答信号は、前記第２スマートメータシステムにおける第２スマートメータ装置から前記第１スマートメータシステムにおける第１スマートメータ装置に転送され、当該第１スマートメータ装置より、ゲートウェイ装置を介して、データを含む検索応答ユーザ信号として前記第１ＯＡ装置に送信される、
ことを特徴とする。
【発明の効果】
【００１１】
本発明によれば、電力網に接続している全ユーザが利用可能なスマートメータの無線マルチホップを利用して、各ユーザ自身でスマートメータＩＤと住所情報をネットワークシステム側へ提供し登録を可能とし、各ユーザ自身がネットワークシステム側に対して、ＩＤと住所情報の検索を可能とする仕組みにより、その検索結果のデータをユーザ側へ提供するアドレスＩＤ変換システムを実現することができるものである。
上記した以外の課題、構成及び効果は、以下の実施形態の説明により明らかにされる。
【図面の簡単な説明】
【００１２】
【図１】図１は本発明の実施例を示す通信システムの構成を示すブロック図。
【図２】図２は本発明におけるスマートメータ装置の概略構成を示すブロック図。
【図３】図３は本発明におけるゲートウェイ装置の概略構成を示すブロック図。
【図４】図４は本発明におけるＯＡ装置の概略構成を示すブロック図。
【図５】図５は本発明におけるアドレスＩＤ変換システムの概略構成を示すブロック図。
【図６】図６は住所を登録する時の動作シーケンスを説明する図。
【図７】図７はスマートメータＩＤから住所を検索する時の動作シーケンスを説明する図。
【図８】図８は住所からスマートメータＩＤを検索する時の動作シーケンスを説明する図。
【図９】図９はデータ配信時に係る通信システムの構成を示すブロック図。
【図１０】図１０は本発明における配信センタの概略構成を示すブロック図。
【図１１】図１１はデータ配信時の動作シーケンスを説明する図。
【図１２】図１２（Ａ）〜（Ｊ）は本発明の実施例で扱う各データテーブルの構成を示す図。
【発明を実施するための形態】
【００１３】
以下、本発明の実施例について図面を用いて説明する。
【実施例】
【００１４】
図１は、本発明の実施例を示す無線ネットワーク通信システムの構成を示すブロック図である。
【００１５】
無線ネットワーク通信システムは、配電事業者システム６、スマートメータシステム１０、アドレスＩＤ変換システム７、又は、データを配信する配信センタ８、を備えている。
【００１６】
スマートメータシステム１０は、スマートメータ装置１（１−１、１−２）と、ゲートウェイ装置２（２−１、２−２）を有する。本実施形態では、説明を簡略化する上で、スマートメータ装置１（１−１、１−２）、ゲートウェイ装置２（２−１、２−２）を２つとして説明するが、その数は、２つに限定する必要はない。
【００１７】
スマートメータ装置１−１は、ユーザＡの建屋５−１に設置され、スマートメータ装置１−２は、ユーザＢの建屋５−２に設置される。そして、各ユーザ建屋内において消費する、つまり、スマートメータ装置１−１、１−２は、各建屋に設置されたＯＡ装置を含む各消費電力機器の電力消費量を収集する機能を有する。
【００１８】
ユーザＡの建屋５−１には、ユーザＡが使用する１つ以上のＯＡ装置３−１、ゲートウェイ装置２−１、ＨＥＭＳ（Home Energy Management System）装置４が設置され、ユーザＢの建屋５−２には、ユーザＢが使用する１つ以上のＯＡ装置３−２、ゲートウェイ装置２−２が設置されている。
【００１９】
スマートメータ装置１（１−１、１−２）は、無線通信機能を有するスマートメータであり、周知の技術を利用することができる。故に、その詳細な構成、動作についての詳細説明は省略する。また、ゲートウェイ装置２（２−１、２−２）、ＨＥＭＳ装置４も、周知技術のため、その詳細説明は省略する。
【００２０】
スマートメータ装置１（１−１、１−２）は、マルチホップ通信機能を有し、マルチホップ通信によって相互に多段接続、例えば、無線ＬＡＮ接続することにより、スマートメータ装置１−２を頂点とするツリー構造の無線マルチホップネットワーク、つまり、無線マルチホップ通信ネットワークの通信路（複数のルート無線チャネル、本例では、Ａルート無線チャネル、Ｂルート無線チャネル／無線ネットワーク通信システム）を構築する。多段接続は、本例では、無線ＬＡＮ接続としているが、その他の接続方式であってもよい。
【００２１】
スマートメータ装置１（１−１、１−２）は、図２に示すように、スマートメータＩＤを管理するスマートメータＩＤ管理手段１０１、電力消費量（電力資料用データ）を検針するスマートメータ手段１０２、外部装置（ＯＡ装置やゲートウェイ装置など）と接続し、外部装置からの信号などを受信する外部接続受け手段１０４、各信号を他の装置（ゲートウェイ装置や配電事業者システム、アドレスＩＤ変換システム）間で無線通信する無線通信手段１０３、を有する。
【００２２】
ユーザＡの建屋５−１におけるスマートメータ装置１−１は、例えば、ＯＡ装置３−１からアドレスＩＤ変換システム７に対して、住所／ＩＤ取得、登録（以下、住所登録と称する）する場合、ユーザＡの建屋５−１のＯＡ装置３−１からＩＤ住所取得信号（ＩＤ住所信号要求）を、ＨＥＭＳ装置４を経由して受信したとき、当該ＩＤ住所取得信号をユーザＢの建屋５−２のスマートメータ装置１−２に送信し、また、スマートメータ装置１−２から配電事業者システム６における住所データベース６０１からＩＤ住所信号１１を受信する機能を有する。住所データベース６０１は、図１２（Ａ）に示すように、スマートメータＩＤ１０１、住所１０２、などの各情報を格納する。
【００２３】
ＩＤ住所信号１１は、図１２（Ｂ）に示すように、スマートメータＩＤ１１１、住所１１２、などの情報を含む。
【００２４】
また、スマートメータ装置１−１は、ゲートウェイ装置２−１から登録信号１４を受けたとき、当該登録信号をスマートメータ装置１−２に転送（送信）する機能を有する。
【００２５】
登録信号１４は、図１２（Ｅ）に示すように、相互通信チャネル１４１、ＡＩＴ（Address ID Translator）／宛先１４２、発元ＩＤ１４３、ＴＴＬ（Time To Live）１４４、登録／サービスＩＤ１４５、データＩＤ１４６、住所１４７、などの各情報を含む。
【００２６】
また、更に、スマートメータ装置１−１は、アドレスＩＤ変換システム７に対して、住所検索／ＩＤ検索する場合、ゲートウェイ装置２−１から検索ユーザ信号（住所検索／ＩＤ検索）１５を受信したとき、当該検索ユーザ信号１５に対応する検索信号（住所検索／ＩＤ検索）１６が出力し、スマートメータ装置１−１に転送（送信）し、検索応答信号１９を受信したとき、当該検索応答信号１９をゲートウェイ装置２−１に転送（送信）する機能を有する。
【００２７】
検索ユーザ信号１５は、図１２（Ｆ）に示すように、ＡＩＴ１５１、発元ＩＤ１５２、住所検索又はＩＤ検索１５３、データＩＤ１５４、ＩＤ又は住所１５５、などの各情報を含む。
【００２８】
ゲートウェイ装置２（２−１、２−２）は、図３に示すように、スマートメータ装置１−１と接続する外部接続手段２０１、ＯＡ装置３（３−１、３−２）と接続するＯＡ装置接続手段２０４、ＩＤ住所信号や検索応答信号などを中継する受信中継手段２０２、ＩＤ住所取得信号などを送信する送信手段２０３、を有する。
【００２９】
そして、ゲートウェイ装置２−１は、例えば、ＯＡ装置３−１から配電事業者システム６に対して、住所登録（住所／ＩＤ登録）する場合、ＯＡ装置３−１から登録ユーザ信号１３を受けたとき、当該登録ユーザ信号１３に対応する登録信号１４を内部のスマートメータ装置１−１を経由して外部のスマートメータ装置１−２に送信する機能を有する。
このとき、ゲートウェイ装置２−１は、相互通信チャネルとＴＴＬを登録信号１４に乗せてスマートメータ装置１−１を介して、アドレスＩＤ変換システム７へ送信する。
【００３０】
登録ユーザ信号１３は、図１２（Ｄ）に示すように、ＡＩＴ１３１、発元ＩＤ１３２、登録１３３、データＩＤ１３４、住所１３５、などの各情報を含む。
【００３１】
スマートメータ装置１−２に送信された登録信号１４は、ゲートウェイ装置２−２、スマートメータ装置１−２を経由してアドレスＩＤ変換システム７のスマートメータ通信装置７０１に転送され、これにより、配電事業者システム６の住所データベース６０１のＩＤ住所信号１１がアドレスＩＤ変換システム７のアドレスＩＤデータベース７０２に登録される（図１２（Ｃ）参照）。
【００３２】
ＯＡ装置３（３−１、３−２）は、図４に示すように、通信システム接続手段３０１、住所検索／ＩＤ検索する場合、ユーザ（Ａ、Ｂ）に対して、検索応答ユーザ信号１７に含まれるデータ（住所やＩＤ）を表示出力する出力手段３０２、を有する。
【００３３】
通信システム接続手段３０１は、ゲートウェイ装置２、スマートメータ装置１を含む通信システムに接続する通信システム接続インターフェース部である。
【００３４】
そして、ＯＡ装置３−１は、例えば、住所登録（住所／ＩＤ登録）する場合、ＩＤ住所取得信号をＨＥＭＳ装置４に送信し、ＨＥＭＳ装置４のＩＤ住所信号１１を受信する機能を有する。また、住所検索／ＩＤ検索する場合、検索ユーザ信号１５をゲートウェイ装置２−１に送信し、ゲートウェイ装置２−１の検索応答ユーザ信号１７を受信する機能を有する。ＯＡ装置３−１は、その自スマートメータＩＤと住所情報を登録ユーザ信号１３に乗せてゲートウェイ装置２−１に送信する。
【００３５】
ＩＤ住所取得信号は、ユーザＡの建屋５−１に設置されたＯＡ装置３−１（最下流のＯＡ装置）から送信されるものであり、ＩＤ住所取得信号は、ＨＥＭＳ装置４、スマートメータ装置１−１、スマートメータ装置１−２を経由して配電事業者システム６に送信される。
【００３６】
配電事業者システム６は、住所データベース６０１を含み、住所登録（住所／ＩＤ登録）する場合、例えば、配電事業者システム６がスマートメータ装置１−２からＩＤ住所取得信号を受信したとき、住所データベース６０１に格納、登録されたＩＤ住所信号１１を読み出し、当該ＩＤ住所信号をスマートメータ装置１−２（最上流のスマートメータ装置）に送信する機能を有する。
【００３７】
アドレスＩＤ変換システム７は、スマートメータ通信装置７０１、アドレスＩＤデータベース７０２、を含み、ネットワーク上で送受信される通信データの宛先変換を行う機能を有する。アドレスＩＤデータベース７０２は、図１２（Ｃ）に示すように、スマートメータＩＤ１２１、住所１２２、などの各情報を格納する。
【００３８】
アドレスＩＤ変換システム７は、スマートメータ通信装置７０１、アドレスＩＤデータベース７０２、を有する。
【００３９】
スマートメータ通信装置７０１は、スマートメータシステムのスマートメータ装置１−１、１−２との間で検索信号１６、検索応答信号１９を相互通信し、また、配信センタ８のスマートメータ通信装置８０１との間で検索ユーザ信号１５、検索応答ユーザ信号１７を相互通信する機能を有する。
すなわち、スマートメータ通信装置７０１は、図示してないが、ＣＰＵなどの制御部を含む制御装置を備え、内部に格納されたプログラムに従って、後述する登録信号１４、ＩＤ住所信号１１、検索信号１６、検索応答信号１９、などの送受信（転送）処理を実行する。
【００４０】
また、アドレスＩＤ変換システム７は、住所登録（住所／ＩＤ登録）する場合には、例えば、スマートメータ装置１−２から登録信号１４を受信したとき、先にＯＡ装置３−１のユーザＡが取得したＩＤ住所信号１１をアドレスＩＤ変換システム７のスマートメータ通信装置７０１にて受信し、アドレスＩＤデータベース７０２を格納、登録する機能を有する。登録信号１４の送受信は、スマートメータ装置１−２とアドレスＩＤ変換システム７を接続する相互通信無線チャネルにて実行する。登録信号１４は、ＯＡ装置３−１から送信される登録ユーザ信号１３をゲートウェイ装置２−１が受信したとき、ゲートウェイ装置２−１から送信されるものであり、登録信号１４は、ゲートウェイ装置２−１、スマートメータ装置１−１、１−２、ゲートウェイ装置２−２、スマートメータ装置１−２、を経由してスマートメータ通信装置７０１に送信される。
住所／ＩＤ登録手順の詳細は後述する。
【００４１】
また、アドレスＩＤ変換システム７は、住所検索／ＩＤ検索する場合には、スマートメータ装置１−２から検索信号（住所検索／ＩＤ検索）１６、スマートメータ装置１−１、スマートメータ装置１−２、スマートメータ装置１−１を経由して受信したとき、当該検索信号１６にて、アドレスＩＤデータベース７０２を検索し、検索応答信号（データ＝住所／データ＝ＩＤ）をスマートメータ装置１−２に送信する機能を有する。
【００４２】
検索信号（住所検索／ＩＤ検索）１６は、図１２（Ｇ）に示すように、相互通信チャネル１６１、ＡＩＴ１６２、発元ＩＤ１６３、ＴＴＬ１６４、住所検索又はＩＤ検索１６５、データＩＤ１６６、ＩＤ又は住所１６７、などの各情報を含む。
住所／ＩＤ検索の手順の詳細は後述する。
【００４３】
また、アドレスＩＤ変換システム７は、配信センタ８がデータ配信する場合、配信センタ８から検索ユーザ信号（１５３＝ＩＤ検索、１５５＝住所）１５を受信したとき、アドレスＩＤデータベース７０２を検索し、当該検索ユーザ信号１５に対応する検索応答ユーザ信号（１７３＝ＩＤ検索、１７５＝＃２）１７を配信センタ８に送信する機能を有する。
【００４４】
検索応答ユーザ信号１７は、図１２（Ｈ）に示すように、宛先ＩＤ１７１、ＡＩＴ１７２、住所又はＩＤ検索１７３、データＩＤ１７４、住所又はＩＤ１７５、などの各情報を含む。検索応答信号１９は、図１２（Ｊ）に示すように、相互通信チャネル１９１、宛先ＩＤ１９２、ＴＴＬ１９３、ＡＩＴ１９４、住所検索又はＩＤ検索１９５、データＩＤ１９６、住所又はＩＤ１９７、などの各情報を含む。
【００４５】
アドレスＩＤデータベース７０２は、配電事業者システム６の住所データベース６０１と同様にスマートメータＩＤ、住所、などの情報を含む信号を格納、登録する。
【００４６】
配信センタ８は、配信装置８０２、スマートメータ通信装置８０１、を有する。
スマートメータ通信装置８０１は、データを配信する場合、配信データベース８０３に登録されている検索ユーザ信号１５（１５３＝ＩＤ検索、１５５＝住所）を読み出し、当該検索ユーザ信号１５を、アドレスＩＤ変換システム７のスマートメータ通信装置７０１に送信する。また、スマートメータ通信装置８０１は、スマートメータ通信装置７０１から検索応答ユーザ信号１７を受信したとき、当該検索応答ユーザ信号１７に対応するデータ信号（１８２＝＃２、１８７＝配信データ）１８を、ユーザ建屋５−１のゲートウェイ装置２−１、スマートメータ装置を含む通信システム９（図示せず）に対して、データ信号１８を送信する通信機能を有する。
【００４７】
データ信号１８は、ユーザ建屋５−２の通信システム９を介してＯＡ装置３−２へ送信される。
【００４８】
データ信号１８は、図１２（Ｉ）に示すように、相互通信チャネル１８１、宛先ＩＤ１８２、発元ＩＤ１８３、ＴＴＬ１８４、住所配信１８５、データＩＤ１８６、配信データ１８７、などの各情報を含む。
【００４９】
これにより、ＯＡ装置３−２にてユーザは、検索結果におけるデータ信号１８を出力装置にて見ることができる。
データ配信の手順の詳細は、後述する。
【００５０】
次に、具体的な実施例として、自スマートメータＩＤ=＃１のユーザ建屋５−１から自スマートメータＩＤ=＃２のユーザ建屋５−２を介して、アドレスＩＤ変換システム７にスマートメータＩＤと住所を登録する場合の動作を説明する。
図６は、住所登録時の動作シーケンス図である。
【００５１】
ＯＡ装置３−１は、ＨＥＭＳ装置４を介してＢルート無線チャネルでスマートメータ装置１−１へＩＤ住所取得信号を送信し（Ｓ１０１、Ｓ１０２）、
【００５２】
スマートメータ装置１−１、１−２を介して配電事業者システム６までＡルート無線チャネルでＩＤ住所取得信号を転送する（Ｓ１０３、Ｓ１０４）。
【００５３】
配電事業者システム６内の住所データベース６０１からスマートメータＩＤと住所を得て、ＩＤ住所信号１１をＡルート無線チャネルで、自スマートメータＩＤ=＃１のユーザ建屋５−１へ転送し（Ｓ１０５、Ｓ１０６）、Ｂルート無線チャネルでＯＡ装置３−１へ転送する（Ｓ１０７、Ｓ１０８）。
【００５４】
ＯＡ装置３−１は、その自スマートメータＩＤと住所情報を登録ユーザ信号１３に乗せてゲートウェイ装置２−１に送信する（Ｓ１０９）。
【００５５】
ゲートウェイ装置２−１は、相互通信チャネルとＴＴＬを登録信号１４に乗せてスマートメータ装置１−１を介して、アドレスＩＤ変換システム７へ送信する（Ｓ１１０〜Ｓ１１４）。
【００５６】
アドレスＩＤ変換システム７のスマートメータ通信装置７０１で登録信号１４を受信し、ＩＤと住所を抽出し、ＩＤ住所信号１１としてアドレスＩＤデータベース７０２に送信し、アドレスＩＤデータベースを構築する。
【００５７】
次に、自スマートメータＩＤ=＃１のユーザ建屋５−１のＯＡ装置３−１が第三者の住所をスマートメータＩＤから検索する場合の動作について説明する。
【００５８】
図７は、スマートメータＩＤから住所を検索する時の動作シーケンスを説明する図である。
【００５９】
まず、ＯＡ装置３−１は、検索ユーザ信号１５の１５３に住所検索と設定し１５５に住所を検索したいスマートメータＩＤを設定して、ゲートウェイ装置２−１に送信する（Ｓ２０１）。
【００６０】
ゲートウェイ装置２−１から、相互通信チャネルとＴＴＬを検索信号１６に乗せてスマートメータ装置１−１を介してアドレスＩＤ変換システム７に送信する（Ｓ２０２〜Ｓ２０６）。
【００６１】
アドレスＩＤ変換システム７のスマートメータ通信装置７０１が検索信号１６を受信すると、１９７に住所をいれた検索応答信号１９を送出する（Ｓ２０８）。
【００６２】
スマートメータの相互通信無線チャネルを使った通信システムを介して自スマートメータＩＤ=＃１のユーザ建屋５−１のＯＡ装置３−１へ検索応答ユーザ信号１７が返される（Ｓ２１４）。
【００６３】
同様に、自スマートメータＩＤ=＃１のユーザ建屋５−１のＯＡ装置３−１が第三者のスマートメータＩＤを住所から検索する動作について説明する。
【００６４】
図８は、住所からスマートメータＩＤを検索する時の動作シーケンスを説明する図である。
【００６５】
まず、検索ユーザ信号１５の１５３にＩＤ検索と設定し１５５にスマートメータＩＤを検索したい住所を設定して、ゲートウェイ装置２−１に送信する（Ｓ３０１）。
【００６６】
次に、ゲートウェイ装置２−１から、相互通信チャネルとＴＴＬを検索信号１６に乗せてスマートメータ装置１−１を介してアドレスＩＤ変換システム７に送信する（Ｓ３０２〜Ｓ３０６）。
【００６７】
アドレスＩＤ変換システム７のスマートメータ通信装置７０１が検索信号１６を受信すると、データ部にスマートメータＩＤをいれた検索応答信号１９を送出する（Ｓ３０８）。
スマートメータの相互通信無線チャネルを使った通信システムを介して自スマートメータＩＤ=＃１のユーザ建屋５−１のＯＡ装置３−１へ検索応答ユーザ信号１７が返される（Ｓ３１４）。
【００６８】
以下、上述した本発明を利用したサービスの一例として、配信センタ８を設け、当該配信センタから特定のＯＡ装置３−１、３−２にデータ配信する実施例を図９に基づいて詳細に説明する。
図９は、本発明の実施例に係る配信システムの構成を示すブロック図である。
【００６９】
各ユーザ建屋５−１、５−２内に配置されるスマートメータ装置１−１、１−２と、スマートメータ装置１−１、１−２に接続した各種ＯＡ装置３−１、３−２のユーザ間通信にスマートメータ無線マルチホップによる通信路を提供するゲートウェイ装置２−１、２−２により構成される通信システムと、アドレスＩＤ変換システム７と、配信センタ８で構成される。
【００７０】
配信センタ８には、配信するコンテンツである配信データがデータ配信依頼者から依頼であらかじめ保管されている。その配信データの配信を制御する配信装置８０２と、通信システムと接続するスマートメータ通信装置８０１をもつ。
【００７１】
ＯＡ装置３−１、３−２は、通信システムに接続する通信システム接続手段３０１とユーザにデータを表示出力する出力手段３０２で構成される。
【００７２】
図１１は、具体的な実施例として、配信センタ８がデータ配信する動作を説明する図である。
【００７３】
配信センタ８の配信装置８０２は、まず、配信先住所のスマートメータＩＤを検索する。１５３にＩＤ検索と設定し、１５５に配信先住所を入れた検索ユーザ信号１５をスマートメータ通信装置８０１へ送りアドレスＩＤ変換システム７へ送出する（Ｓ４０１、Ｓ４０２）。
【００７４】
検索ユーザ信号１５はアドレスＩＤ変換システム７のスマートメータ通信装置７０１を介してアドレスＩＤデータベース７０２に届く（Ｓ４０３）。
【００７５】
１７３にＩＤ検索を設定し、１７５に検索した住所に対応するスマートメータＩＤの＃２を設定した検索応答ユーザ信号１７を返送し、配信センタ８の配信装置８０２に届く（Ｓ４０４、Ｓ４０５、Ｓ４０６）。
【００７６】
配信装置８０２は、検索応答ユーザ信号１７から得た宛先ＩＤの＃２宛に、データ信号１８を通信システム９へ送る（Ｓ４０７、Ｓ４０８）。
＃２のＯＡ装置３−２が受信したデータ信号１８を出力手段３０２、例えば、ディスプレイでユーザに表示出力する。
【００７７】
以上、述べた本発明の実施例によれば、スマートメータ通信装置７０１は、相互通信チャネルでユーザ建屋５−２のスマートメータ装置１−１から登録信号１４を受信したとき、アドレスＩＤデータベース７０２にＩＤ住所信号１１を送信し、検索信号１６を受信したとき、アドレスＩＤデータベース７０２に転送してアドレスＩＤデータベース７０２から返信された検索応答信号１９をスマートメータ装置１−１に送信する。そして、アドレスＩＤデータベース７０２はスマートメータ通信装置７０１からＩＤ住所信号１１を受信したときはスマートメータＩＤと住所をアドレスＩＤデータベース１２に保存し、検索信号１６を受信したときはアドレスＩＤデータベース１２に該当する住所またはスマートメータＩＤを乗せた検索応答信号１９を送信する。
これにより、電力網に接続している全ユーザが利用可能なスマートメータの無線マルチホップを利用して、各ユーザ自身でスマートメータＩＤと住所情報をネットワークムシステム側（アドレスＩＤ変換システム）へ提供し、各ユーザ自身がネットワークシステム側（アドレスＩＤ変換システム）に対して、ＩＤと住所情報を検索することができ、検索結果のデータをユーザ（第三者）側へ情報転送し、提供するアドレスＩＤ変換システムを実現することができる。
また、本発明の実施例によれば、配信センタ８がアドレスＩＤ変換システム７に住所からユーザ建屋５−１、５−２に設置されているスマートメータ装置１−１、１−２のスマートメータＩＤを検索し、例えば、自然災害を受けた特定のユーザに必要な情報を有効に配信することができる。
【００７８】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ(Solid State Drive)等の記録装置、または、ＩＣカード、ＳＤカード、ＤＶＤ等の記録媒体に置くことができる。
【符号の説明】
【００７９】
１（１−１、１−２）  スマートメータ装置
２（２−１、２−２）  ゲートウェイ装置
３（３−１、３−２）  ＯＡ装置（ＯＡ機器）
４  ＨＥＭＳ装置
５（５−１、５−２）  建屋
６  配電事業者システム
７  アドレスＩＤ変換システム
８  配信センタ
９  通信システム
１０  スマートメータシステム
【図１】
2018129744.tif 000003
【図２】
2018129744.tif 000004
【図３】
2018129744.tif 000005
【図４】
2018129744.tif 000006
【図５】
2018129744.tif 000007
【図６】
2018129744.tif 000008
【図７】
2018129744.tif 000009
【図８】
2018129744.tif 000010
【図９】
2018129744.tif 000011
【図１０】
2018129744.tif 000012
【図１１】
2018129744.tif 000013
【図１２】
2018129744.tif 000014